(57)【要約】【課題】携帯機を保持していない乗員であっても、ドアをロックすることができること。【解決手段】車両の各ドアのロック・アンロックを指示するトリガ信号を送信するトリガスイッチ４０、及びリクエスト信号を送信する送信機２０が設けられている。携帯機１０はリクエスト信号を受信し、ＩＤコードを含む応答信号を受信機３０に返送する。コンピュータ５０は、受信機３０によって受信された応答信号に含まれるＩＤコードが、予め登録されたＩＤコードと一致するか否かを照合する。この照合結果が不一致であった場合であっても、トリガスイッチ４０が操作されることにより、トリガ信号が送信され、このトリガ信号がコンピュータ５０に入力されると、コンピュータ５０はドアロック機構９０に対して制御信号を出力する。この制御信号に基づいて、車両の各ドアが閉じており、かつアンロックされている場合、ドアロック機構９０は車両の各ドアをロックする。【選択図】              図１
2005344296.tif 000002
【特許請求の範囲】
【請求項１】
車両の各ドアに設けられ、携帯機に対してリクエスト信号を送信する送信機と、
当該送信機から送信されたリクエスト信号に応答して、携帯機からＩＤコードを含む応答信号が返送されたとき、その応答信号を受信する受信機と、
車両の各ドアに設けられたトリガスイッチと、
前記トリガスイッチが操作されると、車両の各ドアのロック・アンロックを指示するトリガ信号を送信するトリガ信号送信手段と、
前記送信機に対して、リクエスト信号の送信を指示するとともに、前記受信機によって受信された前記応答信号に含まれるＩＤコードが、予め登録されたＩＤコードと一致する場合、前記トリガ信号に基づいて、車両の各ドアのロック・アンロック状態を制御する制御部を備える車両ドアロック装置において、
前記制御部は、車両の各ドアがアンロック状態のときに、前記受信機によって受信された前記応答信号に含まれるＩＤコードが、予め登録されたＩＤコードと不一致である場合であっても、前記トリガ信号に基づいて、車両の各ドアをロックすることを特徴とする車両ドアロック装置。
【請求項２】
前記車両の車室内への侵入を検知する侵入検知手段と、
前記侵入検知手段が車室内への侵入を検知した場合には、警報を発する警報手段を備え、
前記制御部は、前記トリガ信号に基づいて、車両の各ドアをロックするとともに、前記侵入検知手段を起動することを特徴とする請求項１に記載の車両ドアロック装置。
【請求項３】
前記制御部は、前記受信機によって受信された前記応答信号に含まれるＩＤコードが、予め登録されたＩＤコードと一致する場合、前記侵入検知手段を起動し、予め登録されたＩＤコードと不一致である場合、前記侵入検知手段を起動禁止することを特徴とする請求項２に記載の車両ドアロック装置。
【請求項４】
前記制御部は、車両の各ドアのロックを指示する前記トリガ信号の送信回数に応じて、前記侵入検知手段の起動と起動禁止とを切り換えることを特徴とする請求項２または請求項３に記載の車両ドアロック装置。
【請求項５】
前記制御部は、前記トリガ信号の発生時に、前記侵入検知手段が車室内に乗員を検知した場合には、前記侵入検知手段を起動禁止し、前記侵入検知手段が車室内の乗員を不検知の場合には、前記侵入検知手段を起動することを特徴とする請求項２に記載の車両ドアロック装置。
【発明の詳細な説明】
【技術分野】
【０００１】
本発明は、車両側から送信されるリクエスト信号に応答して、携帯機から送信されるＩＤコードを含む応答信号に基づいて、車両の各ドアのロック・アンロック状態を制御する車両ドアロック装置に関する。
【背景技術】
【０００２】
従来、携帯機と車両側との双方向通信によるＩＤコードの照合結果をもとに、車両の各ドアに設けられたトリガスイッチが操作されると、車両の各ドアのロック・アンロック状態を制御する車両ドアロック装置が知られている。
【０００３】
すなわち、この車両ドアロック装置においては、車両の内外に所定の通信可能エリアを設定し、この通信可能エリアにおいて、送信機から所定間隔毎に、リクエスト信号を送信する。携帯機の保持者がトリガスイッチを操作すると、車両側送信機からのリクエスト信号を送信しこれに応答して携帯機がＩＤコードを含む応答信号を受信機に送信する。このＩＤコードが予め登録されているＩＤコードに一致すると、車両側のドアロック機構が、ドアをロックする。
【発明の開示】
【発明が解決しようとする課題】
【０００４】
従来、上述したように、携帯機から送信された応答信号に含まれるＩＤコードが、予め登録されているＩＤコードと一致した場合に限り、携帯機の保持者がトリガスイッチを操作することによって、ドアをロックすることができる。このため、例えば、携帯機の保持者が先に車両を離れたときに、他の乗員が、車室外に出る際にドアをロックしたいと所望する場合であっても、ドアをロックすることができなかった。
【０００５】
本発明は、上述した点に鑑みてなされたもので、携帯機を保持していない乗員であっても、ドアをロックすることが可能な車両ドアロック装置を提供することを目的とする。
【課題を解決するための手段】
【０００６】
上記目的を達成するために、請求項１に記載の車両ドアロック装置は、
車両の各ドアに設けられ、携帯機に対してリクエスト信号を送信する送信機と、
送信機から送信されたリクエスト信号に応答して、携帯機からＩＤコードを含む応答信号が返送されたとき、その応答信号を受信する受信機と、
車両の各ドアに設けられたトリガスイッチと、
トリガスイッチが操作されると、車両の各ドアのロック・アンロックを指示するトリガ信号を送信するトリガ信号送信手段と、
送信機に対して、リクエスト信号の送信を指示するとともに、受信機によって受信された応答信号に含まれるＩＤコードが、予め登録されたＩＤコードと一致する場合、トリガ信号に基づいて、車両の各ドアのロック・アンロック状態を制御する制御部を備える車両ドアロック装置において、
制御部は、車両の各ドアがアンロック状態のときに、受信機によって受信された応答信号に含まれるＩＤコードが、予め登録されたＩＤコードと不一致である場合であっても、トリガ信号に基づいて、車両の各ドアをロックすることを特徴とする。
【０００７】
上述したように、請求項１に記載の車両ドアロック装置では、トリガスイッチを操作するだけで、ドアをロックすることができる。すなわち、携帯機を保持していない乗員であっても、ドアをロックすることが可能である。
【０００８】
請求項２に記載したように、車両の車室内への侵入を検知する侵入検知手段と、侵入検知手段が車室内への侵入を検知した場合には、警報を発する警報手段を備え、制御部は、トリガ信号に基づいて、車両の各ドアをロックするとともに、侵入検知手段を起動することが好ましい。このように、各ドアのロックに同期して、侵入検知手段を起動することにより、車両のドアがロックされているときに、第３者の車室内への侵入を検知することができる。当該装置は、第３者の車室内への侵入を検知した場合、警報を発して車両の盗難等の防止を図る。
【０００９】
請求項３に記載したように、制御部は、受信機によって受信された応答信号に含まれるＩＤコードが、予め登録されたＩＤコードと一致する場合、侵入検知手段を起動し、予め登録されたＩＤコードと不一致である場合、侵入検知手段を起動禁止することが好ましい。運転者以外の乗員は侵入検知手段などの機能を熟知しておらず、他の乗員が車室内に残っているにもかかわらず、トリガスイッチを操作して誤警報を発してしまうおそれがあるため、携帯機を保持しているユーザだけが侵入検知手段を起動することが可能である。
【００１０】
請求項４に記載したように、制御部は、車両の各ドアのロックを指示するトリガ信号の送信回数に応じて、侵入検知手段の起動と起動禁止とを切り換えても良い。これにより、携帯機の保持者が第３者の車室内への侵入の検知を所望しない場合、当該装置は侵入検知手段の起動を禁止することができる。一方、携帯機を保持していない乗員が第３者の車室内への侵入の検知を所望する場合、当該装置は侵入検知手段を起動することができる。
【００１１】
請求項５に記載したように、制御部は、トリガ信号の発生時に、侵入検知手段が車室内に乗員を検知した場合には、侵入検知手段を起動禁止し、侵入検知手段が車室内の乗員を不検知の場合には、侵入検知手段を起動することもできる。車室内に乗員がいる場合に、侵入検知手段が起動すると、車室内にいる乗員を侵入者であると誤って判断してしまうことが考えられる。このため、車室内に乗員がいるか否かの判定に基づき、侵入検知手段を起動または起動禁止することにより、当該装置は、車室内にいる乗員を侵入者であると誤って判断し、車両の周囲に誤って警報を発してしまうことを防止できる。
【発明を実施するための最良の形態】
【００１２】
（第１実施形態）
以下、本発明の好ましい実施形態について図面を参照して説明する。図１は、本実施形態による車両ドアロック装置２００の概略構成を示すブロック図である。以下、本実施形態による車両ドアロック装置２００について詳細に説明する。
【００１３】
図１に示すように、車両ドアロック装置２００は、コンピュータ５０を備え、コンピュータ５０は、本実施形態による車両ドアロック制御を実行するための各種の演算処理を実行するＣＰＵ、その演算処理を実行するためのプログラム等が記憶されたＲＯＭ、演算処理に必要な情報を一時記憶するＲＡＭ等からなる周知の構成を有している。
【００１４】
また、図１に示すように、コンピュータ５０には、リクエスト信号を送信する送信機２０、携帯機１０からのＩＤコードを含む応答信号を受信する受信機３０、及び車両の各ドアのロック・アンロックを指示するトリガ信号を送信するトリガスイッチ４０が接続され、受信機３０及びトリガスイッチ４０からの信号がコンピュータ５０に入力されるように構成されている。
【００１５】
送信機２０は、コンピュータ５０からの指示に基づいて、所定間隔毎にリクエスト信号を送信する。この送信機２０は車両１００の複数箇所に設けられ、かつそれぞれの送信機２０から送信されるリクエスト信号の通信可能エリアが設定されている。従って、このリクエスト信号の通信可能エリア６０が車両１００の周囲に形成され、携帯機１０の保持者が車両１００に接近及び離脱したことを即座に検知できるようにしている。
【００１６】
携帯機１０は、送信機２０からのリクエスト信号を受信し、このリクエスト信号に応答して、所定のＩＤコード信号を出力する送受信回路を備えている。従って、携帯機１０が通信可能エリア６０内に入ってリクエスト信号を受信したとき、ＩＤコードを含む応答信号を送信する。
【００１７】
携帯機１０から送信されたＩＤコードを含む応答信号は、車両１００に設けられた受信機３０によって受信される。その受信したＩＤコードを含む応答信号は、コンピュータ５０に出力され、コンピュータ５０にて、予め登録されているＩＤコードと一致したか否かを判別する。
【００１８】
さらに、コンピュータ５０には、第３者の車室内への侵入を検知するセキュリティ装置７０、車室内に侵入者が侵入したことを車両の周囲に音等の警報で報知する警報装置８０、及び車両の各ドアをロックまたはアンロックするドアロック機構９０が接続され、それぞれ、コンピュータ５０からの制御信号に従って制御される。
【００１９】
セキュリティ装置７０は、侵入検知センサを有し、侵入検知センサは、例えば、人体の熱に反応する赤外線センサや、車室内のシートに設置され車室内の乗員を検知する着座センサからなる。
【００２０】
上述の構成を備えることにより、本実施形態による車両ドアロック装置は、トリガスイッチ４０から送信されたトリガ信号がコンピュータ５０に入力されると、コンピュータ５０はドアロック機構９０に対して制御信号を出力する。この制御信号に基づいて、車両の各ドアが閉じており、かつアンロックされている場合、ドアロック機構９０は車両の各ドアをロックする。これにより、携帯機１０を保持していない場合であっても、トリガスイッチ４０を操作するだけで、車両の各ドアをロックすることができる。
【００２１】
次に、上述した本実施形態における車両ドアロック制御について、図２のフローチャートに基づいてより具体的に説明する。
【００２２】
まず、図２のステップＳ１０では、車両の各ドアが閉じているか否かを判定する。具体的には、例えば、車両の各ドアの開閉状態を検知するドア開閉センサ（図示せず）に基づいて、車両の各ドアが閉じているか否かを判定する。車両の各ドアが閉じていないと判定された場合、そのまま待機状態となる。一方、車両の各ドアが閉じていると判定された場合、ステップＳ２０に進む。ステップＳ２０では、車両の各ドアに設けられたトリガスイッチ４０が操作されたか否かを判定する。すなわち、トリガスイッチ４０からトリガ信号が送信されたか否かを判定する。トリガ信号が送信されなかったと判定された場合、そのまま待機状態となる。一方、トリガ信号が送信されたと判定された場合、ステップＳ３０に進む。
【００２３】
ステップＳ３０では、車両の各ドアがロックされる。具体的には、ステップＳ２０にて送信されたトリガ信号がコンピュータ５０に入力されると、コンピュータ５０はドアロック機構９０に対して制御信号を出力し、この制御信号に基づいて、ドアロック機構９０は車両の各ドアをロックする。
【００２４】
ステップＳ４０では、送信機２０から送信されたリクエスト信号を携帯機１０が受信し、携帯機１０から送信されたＩＤコードを含む応答信号を受信機３０が受信し、受信したＩＤコードが、コンピュータ５０に予め登録されているＩＤコードと一致したか否かを判定する。ＩＤコードが一致しなかったと判定された場合、コンピュータ５０は、携帯機１０を保持しているユーザでないと判断し、処理が終了される。一方、ＩＤコードが一致したと判定された場合、ステップＳ５０に進む。
【００２５】
ステップＳ５０では、セキュリティ装置７０が起動される。ＩＤコードが一致したと判定されたので、コンピュータ５０は、携帯機１０を保持しているユーザであると判断する。運転者以外の乗員はセキュリティ装置７０などの機能を熟知しておらず、他の乗員が車室内に残っているにもかかわらず、トリガスイッチを操作して誤警報を発してしまうおそれがあるため、携帯機１０を保持しているユーザだけがセキュリティ装置７０を起動することが可能である。
【００２６】
ここで、セキュリティ装置７０について具体的に説明する。例えば、セキュリティ装置７０が起動すると、人体の熱に反応する赤外線センサが起動する。赤外線センサが起動中に、第３者の車室内への侵入を検知した場合、コンピュータ５０は、警報装置８０を介して、第３者の車室内への侵入を、車両の周囲に音等の警報で報知する。この第３者が車室内から退出すると、警報が中止される。
【００２７】
ステップＳ６０では、車両の各ドアがアンロックしたか否かを判定する。具体的に、車両の各ドアをアンロックするためには、受信機３０が携帯機１０から送信された応答信号に含まれるＩＤコードと、コンピュータ５０に予め登録されているＩＤコードとが一致する場合に、トリガスイッチ４０から送信されたトリガ信号がコンピュータ５０に入力されると、コンピュータ５０はドアロック機構９０に対して制御信号を出力する。この制御信号に基づいて、ドアロック機構９０が車両の各ドアをアンロックする。車両の各ドアがアンロックされなかったと判定された場合、そのまま待機状態となる。一方、車両の各ドアがアンロックされたと判定された場合、ステップＳ７０に進む。ステップＳ７０では、起動中のセキュリティ装置７０が終了される。
【００２８】
（第２実施形態）
次に、本発明の第２実施形態について説明する。本実施形態による車両ドアロック装置は、上述した第１実施形態による車両ドアロック装置２００と同様の構成を有する。また、車両ドアロック制御のルーチンについても、第２実施形態による車両ドアロック装置は、第１実施形態による車両ドアロック装置２００とほぼ同様な処理を行なう。従って、これらの構成及びルーチンにおける同様な処理に関する説明は省略する。
【００２９】
第２実施形態による車両ドアロック装置は、第１実施形態と異なり、ＩＤコードの照合結果に基づいて、セキュリティ装置７０の状態が起動または起動禁止に決定された後に、この決定された状態を切り換えることができる。
【００３０】
以下、第２実施形態における車両ドアロック制御について、図３のフローチャートに基づいて具体的に説明する。
【００３１】
まず、ステップＳ１１０では、車両の各ドアが閉じているか否かを判定する。車両の各ドアが閉じていないと判定された場合、そのまま待機状態となる。一方、車両の各ドアが閉じていると判定された場合、ステップＳ１２０に進む。ステップＳ１２０では、トリガスイッチ４０が操作されたか否かを判定する。トリガスイッチ４０が操作されなかったと判定された場合、そのまま待機状態となる。一方、トリガスイッチ４０が操作されたと判定された場合、ステップＳ１３０に進む。
【００３２】
ステップＳ１３０では、車両の各ドアがロックされる。ステップＳ１４０では、ＩＤコードが一致したか否かを判定する。ＩＤコードが一致しなかったと判定された場合、ステップＳ１５０に進む。ステップＳ１５０では、ステップＳ１２０にて操作されたトリガスイッチ４０から所定回数のトリガ信号が送信されたか否かを判定する。コンピュータ５０は、車両の各ドアのロックを指示するトリガ信号の送信回数に応じて、セキュリティ装置７０の起動と起動禁止とを切り換える。これにより、携帯機１０の保持者が第３者の車室内への侵入の検知を所望しない場合、コンピュータ５０はセキュリティ装置７０の起動を禁止することができる。一方、携帯機１０を保持していない乗員が車室内への侵入者の検知を所望する場合、コンピュータ５０はセキュリティ装置７０を起動することができる。
【００３３】
ステップＳ１５０において、所定回数のトリガ信号が送信されなかったと判定された場合、処理が終了される。一方、所定回数のトリガ信号が送信されたと判定された場合、ステップＳ１７０に進む。ステップＳ１７０では、セキュリティ装置７０が起動される。
【００３４】
ステップＳ１４０において、ＩＤコードが一致すると判定された場合、ステップＳ１６０に進む。ステップＳ１６０では、ステップＳ１２０にて操作されたトリガスイッチ４０から所定回数のトリガ信号が送信されたか否かを判定する。所定回数のトリガ信号が送信されたと判定された場合、処理が終了される。一方、所定回数のトリガ信号が送信されなかったと判定された場合、ステップＳ１７０に進む。
【００３５】
ステップＳ１７０では、セキュリティ装置７０が起動される。ステップＳ１８０では、車両の各ドアがアンロックされたか否かを判定する。車両の各ドアがアンロックされなかったと判定された場合、そのまま待機状態となる。車両の各ドアがアンロックされたと判定された場合、ステップＳ１９０に進む。ステップＳ１９０では、起動中のセキュリティ装置７０が終了される。
【００３６】
（変形例）
上述した第２実施形態では、車両の各ドアのロックを指示するトリガ信号が所定の回数で送信された場合、ＩＤコードの照合結果に基づいて、セキュリティ装置７０の状態が起動または起動禁止に決定された後に、この決定された状態を切り換える例について説明した。しかしながら、ＩＤコードの照合結果に関わらず、車両の各ドアのロックを指示するトリガ信号の送信回数に応じて、セキュリティ装置７０の起動と起動禁止とを切り換えても良い。例えば、２回のトリガ信号が送信された場合には、セキュリティ装置７０を起動し、更に、これに加えて１回のトリガ信号が送信された、すなわち、３回のトリガ信号が送信された場合には、セキュリティ装置７０の起動を禁止する。
【００３７】
（第３実施形態）
次に、本発明の第３実施形態について説明する。本実施形態による車両ドアロック装置は、上述した第１実施形態による車両ドアロック装置２００と同様の構成を有する。また、車両ドアロック制御のルーチンについても、第２実施形態による車両ドアロック装置は、第１実施形態による車両ドアロック装置２００とほぼ同様な処理を行なう。従って、これらの構成及びルーチンにおける同様な処理に関する説明は省略する。
【００３８】
第３実施形態による車両ドアロック装置は、第１及び第２実施形態と異なり、車室内に乗員がいるか否かに基づいて、セキュリティ装置７０の起動または起動禁止が決定される。
【００３９】
以下、第３実施形態における車両ドアロック制御について、図4のフローチャートに基づいて具体的に説明する。
【００４０】
まず、図４のステップＳ２１０では、車両の各ドアが閉じているか否かを判定する。車両の各ドアが閉じていないと判定された場合、そのまま待機状態となる。一方、車両の各ドアが閉じていると判定された場合、ステップＳ２２０に進む。ステップＳ２２０では、車両の各ドアに設けられたトリガスイッチ４０が操作されたか否かを判定する。トリガスイッチ４０が操作されなかったと判定された場合、そのまま待機状態となる。一方、トリガスイッチ４０が操作されたと判定された場合、ステップＳ２３０に進む。ステップＳ２３０では、車両の各ドアがロックされる。
【００４１】
ステップＳ２４０では、車室内に乗員がいるか否かを判定する。例えば、セキュリティ装置７０に使用されている着座センサを用いて、車室内に乗員がいるか否かを判定する。車室内に乗員がいないと判定された場合、処理が終了される。一方、車室内に乗員がいると判定された場合、ステップＳ２５０に進む。ステップＳ２５０では、セキュリティ装置７０が起動される。コンピュータ５０は、着座センサが乗員を検知した場合には、セキュリティ装置７０の起動を禁止し、着座センサが乗員を検出しなかった場合には、セキュリティ装置７０を起動する。車室内に乗員がいる場合に、セキュリティ装置７０が起動すると、車室内にいる乗員を侵入者であると誤って判断してしまうことが考えられる。このため、車室内に乗員がいるか否かの判定に基づき、セキュリティ装置７０を起動または起動禁止することにより、コンピュータ５０は、車室内にいる乗員を侵入者と誤って判断し、警報装置８０を介して、車両の周囲に誤って報知してしまうことを防止できる。
【００４２】
ステップＳ２６０では、車両の各ドアがアンロックしたか否かを判定する。車両の各ドアがアンロックされなかったと判定された場合、そのまま待機状態となる。一方、車両の各ドアがアンロックされたと判定された場合、ステップＳ２７０に進む。ステップＳ２７０では、セキュリティ装置７０の起動が終了される。
【００４３】
以上、説明したように各実施形態によれば、トリガスイッチ４０が操作されるだけで、車両の各ドアをロックできるようにした。このため、携帯機１０を保持していない乗員であっても、ドアをロックすることが可能である。
【００４４】
なお、本発明は、上述した各実施形態になんら制限されることなく、本発明の主旨を逸脱しない範囲において、種々変形して実施することができる。
【００４５】
例えば、上述した実施形態においては、セキュリティ装置７０は侵入者検知センサを用いて、侵入者を検知する例を説明した。しかしながら、ドア開閉センサを用いて、不当な手段で車両のドアがアンロックされ、ドアが開いたことを検知した場合、車室内に侵入者が侵入したと判断しても良い。
【図面の簡単な説明】
【００４６】
【図１】第１実施形態における、車両ドアロック装置２００の概略構成を示すブロック図である。
【図２】第１実施形態における、車両ドアロック装置のルーチンを示すフローチャートである。
【図３】第２実施形態における、車両ドアロック装置のルーチンを示すフローチャートである。
【図４】第３実施形態における、車両ドアロック装置のルーチンを示すフローチャートである。
【符号の説明】
【００４７】
１０…携帯機
２０…送信機
３０…受信機
４０…トリガスイッチ
５０…コンピュータ
６０…通信可能エリア
７０…セキュリティ装置
８０…警報装置
９０…ドアロック機構
１００…車両
【図１】
2005344296.tif 000003
【図２】
2005344296.tif 000004
【図３】
2005344296.tif 000005
【図４】
2005344296.tif 000006